(57)【要約】      （修正有）【課題】ねじを吸引したときに座面と被締結物との間に位置する部品（ワッシャやパッキン）が脱落するのを防ぐ吸着ノズルを提供する。【解決手段】吸着ノズル１０は、吸着ノズルの中心軸に沿った穴１０２と、軸方向の一端から軸方向にくぼんで穴に繋がっている凹部１０３を有する。凹部の内周面１０７には、凹部の開口端から軸方向に沿った溝１０４が複数形成されている。吸着ノズル内の空気を吸引している状態で凹部をねじに近づけ、凹部の開口端をワッシャに接触または近づける。ワッシャは、溝から吸引される空気によって吸引されて凹部の開口端に保持される。【選択図】図４
0003222581.tif 000002
【実用新案登録請求の範囲】
【請求項１】
回転するビットが挿入される軸方向に沿った穴と、
前記軸方向の一端側に形成されて前記穴に通じ、前記ビットが締めるねじの頭部が収まる凹部と、
前記凹部の表面に形成され、一端が前記凹部の開口端に至る少なくとも一以上の溝と
を備える吸着ノズル。
【請求項２】
前記凹部は、前記軸方向に沿った内周面を有し、
前記溝は、前記内周面において前記軸方向に沿って形成されている
請求項１に記載の吸着ノズル。
【考案の詳細な説明】
【技術分野】
【０００１】
本考案は、ねじを吸着するノズルに関する。
【背景技術】
【０００２】
ねじをビットの先端に保持するねじ締め装置として、例えば特許文献１に開示されたねじ締め装置がある。このねじ締め装置は、ビットを覆うカバーとビットとの隙間からビットの周囲の空気を装置内に吸引する。ビットの先端をねじの頭部に近づけると、ビットの周囲の空気の流れに伴ってねじの頭部がビットの先端に吸い寄せられ、ねじの頭部がビットに保持される。
【先行技術文献】
【特許文献】
【０００３】
【特許文献１】国際公開第２０１５／０４５４４５号
【考案の概要】
【考案が解決しようとする課題】
【０００４】
ねじ締めを行う際には、ねじの座面と被締結物との間にワッシャやパッキンなどの部品が使用される場合がある。この場合、ビットの先端付近の空気のみが装置内に吸引される構成であると、ワッシャやパッキンなどをねじと共に配置しても、ねじのみが吸引されてワッシャやパッキンが吸引されず、ワッシャやパッキンが脱落してしまう。
【０００５】
本考案は、上述した背景の下になされたものであり、ねじを吸引したときに座面と被締結物との間に位置する部品が脱落するのを防ぐことを目的とする。
【課題を解決するための手段】
【０００６】
本考案は、回転するビットが挿入される軸方向に沿った穴と、前記軸方向の一端側に形成されて前記穴に通じ、前記ビットが締めるねじの頭部が収まる凹部と、前記凹部の表面に形成され、一端が前記凹部の開口端に至る少なくとも一以上の溝とを備える吸着ノズルを提供する。
【０００７】
上述した吸着ノズルにおいては、前記凹部は、前記軸方向に沿った内周面を有し、前記溝は、前記内周面において前記軸方向に沿って形成されている構成であってもよい。
【考案の効果】
【０００８】
本考案によれば、ねじを吸引したときに座面と被締結物との間に位置する部品が脱落するのを防ぐことができる。
【図面の簡単な説明】
【０００９】
【図１】本考案に係るねじ締め装置１の正面図。
【図２】本考案に係るねじ締め装置１の上面図。
【図３】本考案に係るねじ締め装置１の左側面図。
【図４】吸着ノズル１０の斜視図。
【図５】吸着ノズル１０の正面図。
【図６】吸着ノズル１０の左側面図。
【図７】図５のＡ−Ａ線断面図。
【図８】本考案の作用を説明するための図。
【考案を実施するための形態】
【００１０】
ねじ締め装置にねじの頭部およびワッシャを吸い寄せる吸着ノズルを装着する。吸着ノズルは、ねじ締め装置に装着されたビットが貫通する穴と、この穴に通じて軸方向の一端側に形成されてねじの頭部が収まる凹部と、凹部の表面に形成されて一端が凹部の開口端に至る一以上の溝を有する。吸着ノズルをねじの頭部およびワッシャに近づけ、吸着ノズル内の空気をねじ締め装置内に吸引すると、空気の吸引に伴ってねじの頭部が凹部内に吸引される。また、ワッシャは、溝の部分を流れる空気によって吸引されて凹部の開口端に保持される。
【実施例】
【００１１】
図１は、本考案に係るねじ締め装置１の正面図であり、図２は、本考案に係るねじ締め装置１の上面図であり、図３は、本考案に係るねじ締め装置１の左側面図である。ねじ締め装置１は、装着されるビットの先端付近の空気を装置内に吸入してビットの先端にねじを吸着させる吸着式のねじ締め装置である。以下、説明の便宜上、ねじ締め装置１においてビットおよび吸着ノズル１０が装着される側を前側、ビットが装着される側と反対側を後側と称する。
【００１２】
ねじ締め装置１は、ねじを締めるビットを保持するビット保持機構を前側に有し、ねじをビットに吸着させるために吸着ノズル１０が前側に装着される。ねじ締め装置１は、ビットを回転させるモータと、吸着ノズル１０が装着される部分から後側に貫通し、空気の通り道となる通路を内部に有する。
【００１３】
ねじ締め装置１は、制御ケーブルが接続されるコネクター３０を後側に有する。制御ケーブルからコネクター３０へモータを制御するための信号が供給されると、ビットを回転させるためのモータが駆動され、ビットの回転数やねじの締め付けのトルクが制御される。また、後側には前述の通路内の空気を吸引するためのチューブが接続される中空の連結器３１が取り付けられている。連結器３１に接続されたチューブ内の空気がポンプにより吸引されると、装着された吸着ノズル１０内の空気が吸引され、吸着ノズル１０の近傍にあるねじがビットに吸引される。
【００１４】
図４は、吸着ノズル１０の斜視図、図５は、吸着ノズル１０の正面図、図６は、吸着ノズル１０の左側面図、図７は、図５のＡ−Ａ線断面図である。
【００１５】
吸着ノズル１０は、ねじ締め装置１に装着するためのねじ部１０１を有し、ねじ部１０１には雄ねじが切られている。ねじ部１０１をねじ締め装置１の前側に設けられている雌ねじ部分に挿入することにより、吸着ノズル１０がねじ締め装置１に保持される。
【００１６】
吸着ノズル１０は、吸着ノズル１０の中心軸に沿った穴１０２と、軸方向の一端から軸方向にくぼんで穴１０２に繋がっている凹部１０３を有する。穴１０２は、ビットが挿入される穴である。穴１０２の直径は、ねじ締め装置１に装着されたビットとの間に隙間が生じるよう、ビットより大きい直径となっている。凹部１０３は、軸方向に見てねじ部１０１と反対側に形成されている。凹部１０３は、軸方向に見て円形であり、軸方向の深さは、ビットに吸着されるねじの頭部が収まる深さとなっている。凹部１０３は、直径が予め定められた径である第１部分１０５と、穴１０２の方向に向かって直径が小さくなっている第２部分１０６を有する。
【００１７】
凹部１０３の開口端は、Ｃ面取りされている。第１部分１０５の内周面１０７の直径は、ビットによって締めるねじの頭部の外周面との隙間が小さくなるようにねじ２の頭部２１の直径に合わせた径となっている。第１部分１０５の内周面１０７には、凹部１０３の開口端から軸方向に沿った溝１０４が複数形成されている。図に示した吸着ノズル１０においては、四個の溝１０４が形成されており、四個の溝１０４は、内周面１０７の周方向に等間隔で形成されている。なお、図に示した吸着ノズル１０においては、形成されている溝１０４の数は四個となっているが、溝１０４の数は四個に限定されるものではなく、三個以下または五個以上であってもよい。
【００１８】
吸着ノズル１０がねじ締め装置１に装着されている状態においては、図８に示すように、ねじ締め装置１に装着されたビット１１の先端は、吸着ノズル１０内に位置する。ねじ２をビット１１に吸着させる際には、連結器３１に接続されたチューブ内の空気がポンプにより吸引されている状態で吸着ノズル１０の凹部１０３をねじ２に近づけ、凹部１０３の開口端をワッシャ２２に接触または近づける。
【００１９】
ポンプの吸引によって吸着ノズル１０の開口端からねじ締め装置１内へ空気が吸い込まれているため、空気が吸い込まれるのに伴ってねじ２の頭部２１が凹部１０３内に吸引され、ねじ２の頭部２１がビットに保持される。また、凹部１０３の開口端に接触または近づいているワッシャ２２の直径は、凹部１０３の開口端の直径より大きい直径であるが、溝１０４から吸引される空気によって吸引されて凹部１０３の開口端に保持される。
【００２０】
溝１０４を流れる空気によってワッシャ２２が保持されるため、ねじ２から脱落せずにワッシャ２２が保持される。
【００２１】
以上、本考案の実施例について説明したが、本考案は上述した実施例に限定されることなく、他の様々な形態で実施可能である。例えば、上述の実施例を以下のように変形して本考案を実施してもよい。なお、上述した実施例および以下の変形例は、各々を組み合わせてもよい。
【００２２】
本考案においては、凹部１０３の形状は、ビットにより締められるねじの頭部の形状に合わせた深さとするのが好ましい。
【００２３】
上述した実施例においては、溝１０４は軸方向に見たときに断面が半円となっているが、半円の形状に限定されるものではなく、例えば、Ｖ形、台形、方形などの形状であってもよい。
【００２４】
上述した実施例においては、溝１０４は、内周面１０７において凹部１０３の開口端から軸方向に沿って形成されているが、軸方向に対して角度をなして形成されていてもよい。
【００２５】
上述した実施例においては、溝１０４は、穴１０２まで達していないが、凹部１０３の開口端から穴１０２まで至る構成であってもよい。
【００２６】
本考案においては、第１部分１０５は、直径が予め定められた径となっているが、軸方向と平行ではなく、第２部分１０６と同様に穴１０２に向かうにつれて直径が小さくなる構成であってもよい。
【００２７】
実施例の説明においては、ねじ２の座面と被締結物との間に位置するのがワッシャ２２であるが、ねじ２の座面と被締結物との間に位置するのは、ワッシャに限定されるものではなく、例えばパッキンであってもよい。
【００２８】
本考案においては、溝１０４の幅は、複数の溝１０４でそれぞれ同じ幅となっているが、全てが同じ幅ではなく、一または複数の溝１０４で幅が異なる構成であってもよい。また、溝１０４の深さについても、複数の溝１０４でそれぞれ同じ深さとなっているが、全てが同じ深さではなく、一または複数の溝１０４で深さが異なる構成であってもよい。
【符号の説明】
【００２９】
１…ねじ締め装置、２…ねじ、１０…吸着ノズル、１１…ビット、２１…頭部、２２…ワッシャ、３０…コネクター、３１…連結器、１０１…ねじ部、１０２…穴、１０３…凹部、１０４…溝、１０５…第１部分、１０６…第２部分、１０７…内周面
【図１】
0003222581.tif 000003
【図２】
0003222581.tif 000004
【図３】
0003222581.tif 000005
【図４】
0003222581.tif 000006
【図５】
0003222581.tif 000007
【図６】
0003222581.tif 000008
【図７】
0003222581.tif 000009
【図８】
0003222581.tif 000010